(57)【要約】      （修正有）【課題】釣り竿を用いたシャクリ動作を行う際の腕や手首の負担を軽減することができる釣り竿補助装置を提供する。【解決手段】釣り竿補助装置１０は、釣り竿の竿部に装着可能な第１係合部と、第１係合部に係合する第２係合部１４を有し、手の甲部７と肘部の間の前腕８を装着可能な前腕装着板部１６とを備える釣り竿補助装置１０であって、前腕装着板部１６は、肘部側に設けられ、前腕８を挿通可能なリング状の肘側固定部１８と、手の甲部７が設置された状態で手の平を跨るように架設され、手で握ることが可能な帯部２２と、を備えることを特徴とする。【選択図】図１
2020178626.tif 000002
【特許請求の範囲】
【請求項１】
釣り竿の竿部に装着可能な第１係合部と、
前記第１係合部に係合する第２係合部を有し、手の甲部と肘部の間の前腕を装着可能な前腕装着板部とを備える釣り竿補助装置であって、
前記前腕装着板部は、
前記肘部側に設けられ、前記前腕を挿通可能なリング状の肘側固定部と、
前記手の甲部が設置された状態で手の平を跨るように架設され、手で握ることが可能な帯部と、
を備えることを特徴とする釣り竿補助装置。
【請求項２】
請求項１に記載の釣り竿補助装置において、
前記前腕装着板部は、前記帯部と前記肘側固定部との間において、前記前腕の中央部に跨るように巻装可能な巻装部を備えることを特徴とする釣り竿補助装置。
【請求項３】
請求項１または請求項２に記載の釣り竿補助装置において、
前記前腕装着板部は、前記手の甲部の形状に即した凹み部を有することを特徴とする釣り竿補助装置。
【請求項４】
請求項１から請求項３のいずれか１項に記載の釣り竿補助装置において、
前記帯部は、前記前腕装着板部の延伸方向に対してスライド可能に設けられていることを特徴とする釣り竿補助装置。
【請求項５】
請求項１から請求項４のいずれか１項に記載の釣り竿補助装置において、
前記第１係合部は、前記竿部を挟持可能な挟持部と、前記竿部から突出するフック部を有し、
前記第２係合部は、前記前腕装着板部の底部から突出し、前記フック部を挿通するための貫通孔を含む突起部を有することを特徴とする釣り竿補助装置。
【発明の詳細な説明】
【技術分野】
【０００１】
本発明は、釣り竿補助装置に関する。
【背景技術】
【０００２】
近年、老若男女問わず、釣りを楽しむ人が増加している。上手く魚を釣るために、釣り方など様々なテクニックが存在するが、その中の１つに、竿をあおることによって餌などを本物の生きたエサのように見せかける動作、例えば、ジギングやキャスティングなどが存在する。
【０００３】
本発明に関連する技術として、例えば、特許文献１には、保持具基部と、グリップと、連結板と、連結板の後端に取り付けられた肘当てと、リールを取り付けるためのリールシートとを具備する釣り竿用保持具において、グリップは、保持具基部を側面から見た時に水平方向に対して保持具基部の後部の下方に傾斜して形成され、且つ保持具基部を上面から見た時に水平方向に対して保持具基部の後部の左方に傾斜して形成される釣り竿用保持具が開示されている。
【先行技術文献】
【特許文献】
【０００４】
【特許文献１】特開２０１０−４１９７４号公報
【発明の概要】
【発明が解決しようとする課題】
【０００５】
成人男性に比べると力が弱い女性や子供が長時間ジギングやキャスティングなどのシャクリ動作を継続すると腕や手首などが疲れてしまい、釣り竿を握る手から釣り竿を滑り落としてしまう虞がある。また、従来のような釣り竿の持ち方だと、魚がかかったときの衝撃によって腕や手首が疲れて釣り竿を落としてしまう可能性がある。
【０００６】
本発明の目的は、釣り竿を用いたシャクリ動作を行う際の腕や手首の負担を軽減することができる釣り竿補助装置を提供することである。
【０００７】
また、本発明の別の目的は、魚がかかったときの衝撃を和らげることを可能とする釣り竿補助装置を提供することである。
【課題を解決するための手段】
【０００８】
本発明に係る釣り竿補助装置は、釣り竿の竿部に装着可能な第１係合部と、前記第１係合部に係合する第２係合部を有し、手の甲部と肘部の間の前腕を装着可能な前腕装着板部とを備える釣り竿補助装置であって、前記前腕装着板部は、前記肘部側に設けられ、前記前腕を挿通可能なリング状の肘側固定部と、前記手の甲部が設置された状態で手の平を跨るように架設され、手で握ることが可能な帯部と、を備えることを特徴とする。
【０００９】
また、本発明に係る釣り竿補助装置において、前記前腕装着板部は、前記帯部と前記肘側固定部との間において、前記前腕の中央部に跨るように巻装可能な巻装部を備えることが好ましい。
【００１０】
また、本発明に係る釣り竿補助装置において、前記前腕装着板部は、前記手の甲部の形状に即した凹み部を有することが好ましい。
【００１１】
また、本発明に係る釣り竿補助装置において、前記帯部は、前記前腕装着板部の延伸方向に対してスライド可能に設けられていることが好ましい。
【００１２】
また、本発明に係る釣り竿補助装置において、前記第１係合部は、前記竿部を挟持可能な挟持部と、前記竿部から突出するフック部を有し、前記第２係合部は、前記前腕装着板部の底部から突出し、前記フック部を挿通するための貫通孔を含む突起部を有することが好ましい。
【発明の効果】
【００１３】
本発明によれば、釣り竿を用いたジギングやキャスティングなどのシャクリ動作を行う際の腕や手首の負担を軽減することができる。
【００１４】
また、本発明によれば、魚がかかったときの衝撃を和らげることが出来る。
【図面の簡単な説明】
【００１５】
【図１】本発明に係る実施形態において、釣り竿補助装置の前腕装着板部の斜視図及び正面図である。
【図２】本発明に係る実施形態において、釣り竿補助装置の第１係合部の斜視図及び正面図である。
【図３】本発明に係る実施形態において、釣り竿に装着される第１係合部に前腕装着板部の第２係合部を係合させる様子を示す図である。
【図４】本発明に係る実施形態において、釣り竿に釣り竿補助装置を装着してジギングやキャスティングなどのシャクリ動作をする様子を示す図である。
【発明を実施するための形態】
【００１６】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１７】
図１は、釣り竿補助装置１０の前腕装着板部１６の斜視図及び正面図である。図２は、釣り竿補助装置１０の第１係合部１２の斜視図及び正面図である。
【００１８】
図３は、釣り竿１に装着される第１係合部１２に前腕装着板部１６の第２係合部１４を係合させる様子を示す図である。図４は、釣り竿１に釣り竿補助装置１０を装着してジギングやキャスティングなどのシャクリ動作をする様子を示す図である。
【００１９】
釣り竿補助装置１０は、釣り竿１を用いたジギングやキャスティングなどのシャクリ動作を行う際の腕や手首の負担を軽減するための補助装置である。釣り竿補助装置１０は、第１係合部１２と、肘側固定部１８と、帯部２２及び巻装部２０を有する前腕装着板部１６とを備えている。
【００２０】
第１係合部１２は、釣り竿１の竿部２に装着可能な部品である。第１係合部１２は、釣り竿１の竿部２を挟持可能な挟持部２９と、竿部２から突出するフック部２４とを有する。第１係合部１２は、適度な強度を有する材質、例えば、スチールを用いて構成することが出来る。
【００２１】
挟持部２９は、図２に示されるように、筒状部材を半分に分割されて形成された第１挟持部２８と第２挟持部３０とを備える。第１挟持部２８と第２挟持部３０とを閉じることで竿部２を挟持することが出来る。
【００２２】
第１挟持部２８と第２挟持部３０は、閉じられた状態では図２（ａ）（ｂ）に示されるように略筒のような形を形成し、回動軸２７を軸として回動して開かれた状態では図２（ｃ）に示されるように略Ｊ字形状を形成する。
【００２３】
第２挟持部３０は、第１挟持部２８と第２挟持部３０とが閉じられた状態のときに螺合することで施錠可能な施錠部２６が設けられている。また、第２挟持部３０は、略Ｃの字形状のフック部２４が設けられている。
【００２４】
前腕装着板部１６は、第１係合部１２に係合する第２係合部１４を有し、手の甲部７と肘部の間の前腕８を装着可能な部品である。前腕装着板部１６は、肘側固定部１８と、帯部２２と、巻装部２０とを備えている。
【００２５】
前腕装着板部１６は、手の甲部７が幅広となるような杓文字状の板部１７ａを備えて構成されている。杓文字状の板部１７ａは、適度な強度を有する材質、例えば、スチールを用いて構成することが出来る。
【００２６】
手の甲部７が配置される幅広部１７ｗを有する手の甲配置部１７は、手の甲部７の形にフィットしやすいように手の甲部７に沿った凹み部が形成されている。
【００２７】
前腕装着板部１６は、幅広部１７ｗ側の側面に長細い形状を有する貫通孔３１が形成されている。この貫通孔３１には、無端状の帯部２２が挿通されている。
【００２８】
帯部２２は、手の甲部７が手の甲配置部１７に設置された状態で手の平を跨るように架設され、手で握ることが可能な帯状の環状部材である。帯部２２は、適度な強度と柔軟性とを有する材質、例えば、ＰＶＣ（塩化ビニル樹脂）を用いて構成することが出来る。
【００２９】
帯部２２の幅は、貫通孔３１の幅よりも小さく設定されている。これにより、帯部２２を貫通孔３１の長手方向に沿って移動させることができるため、ユーザがジギングやキャスティングなどのシャクリ動作を行わずに、手で釣り竿１を握ろうとする場合に帯部２２を適切な位置に移動させて釣り竿１を握ることができる。
【００３０】
肘側固定部１８は、前腕８の肘部側に設けられ、前腕８を挿通可能なリング状の部材である。肘側固定部１８は、適度な柔軟性を有するベルト部１８ａと、ベルト部１８ａを固定するバックル部１８ｂと、ベルト部１８ａの長さを調整する長さ調整部１８ｃとを備えている。ベルト部１８ａの材質は、例えば、ポリプロピレンなどを用いることが好ましい。バックル部１８ｂと長さ調整部１８ｃとはポリアセタールなどを用いることが好適である。
【００３１】
巻装部２０は、帯部２２と肘側固定部１８との間において、前腕８の中央部に跨るように巻装可能な部材である。巻装部２０は、肘部固定部１８と同様に、適度な柔軟性を有するベルト部２０ａと、ベルト部を固定するバックル部２０ｂと、ベルト部２０ａの長さを調整する長さ調整部２０ｃとを備えている。
【００３２】
第２係合部１４は、杓文字状の板部１７ａの底面部から下方に向けて突出する部材であり、先端側にはフック部２４を通すための貫通孔１５が形成されている。貫通孔１５の孔面積は、フック部２４の断面積よりも大きくなるように設定されている。
【００３３】
第２係合部１４は、適度な強度を有する材質、例えば、スチールを用いて構成することができ、杓文字状の板部１７ａと一体的に形成される。
【００３４】
続いて、上記構成の釣り竿補助装置１０の作用について説明する。最初にユーザは、釣り竿１と釣り竿補助装置１０を準備する。
【００３５】
釣り竿補助装置１０において、第１係合部１２の挟持部２９を図２（ｃ）に示されるように開いた状態とする。そして、挟持部２９によって図２（ａ）（ｂ）に示されるように、釣り竿１の竿部２を挟持するように挟持部２９を閉じる。
【００３６】
そして、挟持部２９が閉じられた状態のときに螺合することで施錠部２６が施錠状態となる。これにより、図２（ａ）に示されるように、第１係合部１２がしっかりと釣り竿１に装着された状態となる。なお、図２（ｄ）に示されるように、第２挟持部３０を第１挟持部２８のスリット２３上における固定位置を変えることで釣り竿１の大きさが変わっても装着可能となる。
【００３７】
その後、前腕装着板部１６を用意して、図３に示されるように、第２係合部１４を寝かせた状態で矢印Ａ方向に移動させてフック部２４の切欠き部を通し、その後、矢印Ｂ方向に移動させて第２係合部１４を起立させる。
【００３８】
これにより、第２係合部１４が第１係合部１２に係合した状態となる。その後、前腕８を肘側固定部８と巻装部２０に通し、手の甲部７が帯部２２の下方に位置する手の甲配置部１７まで挿入する。このとき、ベルト部１８ａ，２０ａの長さを調整した状態でバックル部１８ｂ，２０ｂに嵌合することで、前腕８がしかりと固定された状態となる。
【００３９】
図３に示されるように略Ｃ字状の最上部で係合した状態で前腕装着板部１６を上下運動させて第２係合部１４を上下させた場合に第１係合部１２が従動して釣り竿１が上下運動する。
【００４０】
すなわち、第２係合部１４を第１係合部１２に係合させた後、図４（ａ）に示されるように、手で帯部２２を握った状態で前腕装着板部１６を上下運動させると、これに従動した釣り竿１がジギングやキャスティングなどのシャクリ動作を行うようになる。
【００４１】
このように釣り竿補助装置１０によれば、手で帯部２２を握った状態で肘を曲げるような動作を行うことで、釣りのシャクリ動作を行うことができる。これにより、シャクリ動作を行う際に第１結合部１２の位置が重心となり、手で釣り竿１を握る場合に比べて重視を後ろにずらずことができるとともに、帯部２２と肘側固定部１８と巻装部２０の３つの箇所に力を分散させることができる。したがって、従来のように釣り竿１の竿部２を手で握った状態でシャクリ動作をする場合に比べて腕や手首の負担を軽減することができるという利点がある。また、釣り竿補助装置１０によれば、魚がかかったときの衝撃を和らげることが出来る。
【００４２】
釣り竿補助装置１０によれば、成人男性に比べて力が弱い女性や子供もより簡単にシャクリ動作を行うことが出来るため、様々な人が手軽に釣りを楽しむことができるという顕著な効果を奏する。
【００４３】
図４（ａ）は、スピニングリール３を装着するタイプの釣り竿１について述べたが、もちろん、その他のタイプのリールを用いてもよく、例えば、図４（ｂ）に示されるようなベイトリール４を装着する釣り竿１にも適用できる。
【００４４】
この場合、釣り竿１の上部にベイトリール４が位置するため、図４（ｂ）に示されるように、ベイトリール４を避けるように前腕装着板部１６を斜め方向から装着することで、上記と同様に、腕や手首の負担を軽減した状態で簡単にジギングやキャスティングなどのシャクリ動作を行うことが出来る。
【符号の説明】
【００４５】
１  釣り竿、２  竿部、３  スピニングリール、４  ベイトリール、７  手の甲部、８  前腕、１０  釣り竿補助装置、１２  第１係合部、１４  第２係合部、１５  貫通孔、１６  前腕装着板部、１７  手の甲配置部、１７ａ  杓文字状の板部、１７ｗ  幅広部、１８  肘側固定部、１８ａ  ベルト部、１８ｂ  バックル部、１８ｃ  長さ調整部、２０  巻装部、２０ａ  ベルト部、２０ｂ  バックル部、２０ｃ  長さ調整部、２２  帯部、２３  スリット、２４  フック部、２６  施錠部、２７  回動軸、２８  第１挟持部、２９  挟持部、３０  第２挟持部、３１  貫通孔。
【図１】
2020178626.tif 000003
【図２】
2020178626.tif 000004
【図３】
2020178626.tif 000005
【図４】
2020178626.tif 000006